(57)【特許請求の範囲】
【請求項１】
信号入力端子と、信号出力端子と、この信号入力端子とこの信号出力端子との対応する電極をそれぞれ相互に接続する複数の導体と、この複数の導体と接地電位との間にそれぞれ接続された避雷放電素子とが基板に実装され、この基板が取付けられた底板と、この基板を覆うとともにこの底板に締付けられる蓋とを備えた信号線用保安器において、
前記底板の側部と前記蓋の側部とに縦方向に連続する溝が設けられ、
この溝内に嵌まる一枚の接地導体板が設けられ、この接地導体板には蓋内部に突出し前記基板内の接地電位端子に接続される突起が設けられ、
前記接地導体板には上下に２個のネジ孔が形成され、
前記保安器が複数積み重ねられて利用されるとき、前記溝内の前記接地導体板のネジ孔に連結されて上下の保安器を連結する連結金具を備え、
前記連結金具には、積み重ねられた上下の前記接地導体板のネジ孔のそれぞれ一方のネジ孔に重なるネジ孔が設けられ、連結金具と前記接地導体板とを連結して上下の保安器を連結するネジが取り付けられる
ことを特徴とする信号線用保安器。
【請求項２】
前記蓋の上部には一対のレールが形成され、前記底板の下部にはこのレールに嵌合するツメが形成された請求項１記載の信号線用保安器。
【請求項３】
前記底板、前記蓋、前記接地導体、および前記連結金具の形状が請求項１記載の信号線用保安器と等しい形状であり、その内部に商用電源の保安回路が実装され、前記信号線用保安器を積み重ねて利用される電源線用保安器。
【請求項４】
接地線が取り付けられる接地配線用端子が前記接地導体板とは別に前記基板内に設けられ、この接地配線用端子部分を覆う着脱自在なカバーが前記蓋に設けられた請求項３記載の電源線用保安器。
【発明の詳細な説明】
【０００１】
【発明の属する技術分野】
本発明は、複数のコンピュータ端末装置を一つの信号線網（例えばＬＡＮ，Ｌｏｃａｌ  Ａｒｅａ  Ｎｅｔｗｏｒｋ）  に接続するための接続器具として利用する。本発明は、コンピュータ端末装置と信号線との接続点に避雷放電素子を含む避雷器を接続するための装置に関する。特に、多数の装置を一つの通信網に接続することができる接続器具に関する。またその接続器具に雷サージに伴う電流を放電することができる接地を接続するための実装構造に関する。
【０００２】
【従来の技術】
高速通信網のＬＡＮの一つの規格である１００Ｂａｓｅ−Ｔあるいは１０Ｂａｓｅ−５に例示されるように、一つの基幹ケーブルから数個の回線を分岐するＬＡＮの規格が採用されることになった。このような規格では、図１１に示すように、信号を分岐するための装置としてＨＵＢ装置が導入されるが、このＨＵＢ装置の端末側には例えば５個の回線を取ることができ、これにそれぞれコンピュータ端末装置などを接続することができる。またこのＨＵＢ装置を動作させるために、商用電源を取り込むことが必要である。
【０００３】
一方通信回線の分岐点に避雷放電素子を接続した避雷器を設置して、通信回線に混入するサージ電圧から装置を防護する技術が知られている。これは、図１２に示すように、一対の通信回線および接地電位との間に３極放電管を接続して、通信回線に異常高電圧が混入したときに、通信回線の対間を短絡するとともにこれを接地電位に接続するものである。このような装置は古くから電話線の引込み点に設置されている。
【０００４】
さらに、商用電源に混入する異常高電圧が装置に影響しないように、商用電源の電流通路と接地との間に３極放電管を接続して、異常高電圧に伴う電流を接地に放電させる回路は、通信装置の電源回路その他に広く用いられている。
【０００５】
【発明が解決しようとする課題】
上述のＬＡＮでは、通信線が広いビル内や隣接する建造物などにまたがって配線されることがあり、回線の分岐点で通信回線側から高電圧サージが混入することがある。このような高電圧サージからＨＵＢ装置に接続されるコンピュータ装置その他を防護するために、ＨＵＢ装置の端末側にサージ防護回路を設けることが必要になった。また、このような高電圧サージはＬＡＮ回線から到来するだけでなく、ＨＵＢ装置を動作させるための商用電源からも到来する可能性もある。
【０００６】
このために、従来から利用されている避雷器をこのＨＵＢ装置の出力側に設置することが考えられるが、例えば５個の避雷器をケーブルの途中に個別に接続することは、多数のケーブルを混乱させることになって装置まわりの整理が悪くなる。また、避雷器には確実な接地をとることが必要である。かりに接地電位が不確実であると、これが新たなサージ発生の原因となるばかりか、コンピュータなどを操作する人体に対しても危険が及ぶことにもなる。このためには、それぞれの避雷器に対して、太い接地ケーブルを接触不良などが発生しないように確実に配線しなければならない。
【０００７】
本発明はこのような背景に行われたものであって、ＬＡＮ回線の分岐点まわりのケーブルの整理を良くすることができる便利な保安器を提供することを目的とする。本発明は、避雷回路に確実な接地電位を接続することができ、操作する者の危険を少なくすることができる装置を提供することを目的とする。本発明は、商用電源から混入する高電圧サージを併せて防護することができる装置を提供することを目的とする。
【０００８】
【課題を解決するための手段】
本発明は、一つの信号線網（例えばＬＡＮ）とコンピュータ端末装置を含む各種情報機器との接続に用いる避雷放電素子を実装した保安器を複数使用するときに、積み重ねた状態で接地導体を堅固に連結するとともに、一つの端子で確実な接地を行うことができる構造を特徴とする。
【０００９】
すなわち、本発明の第一の特徴は、信号線用保安器の構造についてであって、信号入力端子と、信号出力端子と、この信号入力端子とこの信号出力端子との対応する電極をそれぞれ相互に接続する複数の導体と、この複数の導体と接地電位との間にそれぞれ接続された避雷放電素子とが基板に実装され、この基板が取付けられた底板と、この基板を覆うとともにこの底板に締付けられる蓋とを備えた信号線用保安器において、前記接地電位に接続された一枚の接地導体が前記底板の側部と前記蓋の側部とにまたがって設けられ、この接地導体には上下に２個のネジ孔が形成され、前記保安器が複数積み重ねて利用されるとき、下になる保安器の上のネジ孔に螺合するネジと、上になる保安器の下のネジ孔に螺合するネジと、この二つのネジを連結する連結金具とを備えたことを特徴とする。
【００１０】
前記蓋の上部には一対のレールが形成され、前記底板の下部にはこのレールに嵌合するツメが形成され、前記連結金具に設けられた二つのネジの通し孔の間隔は上記接地導体に設けられた上下２個のネジ孔の間隔に等しいことが望ましい。
【００１１】
信号入力端子に信号線網側の接続プラグを差込み、信号出力端子に装置側の接続プラグを差込むことにより信号線網と装置とが接続されるとともに、避雷放電素子が接地電位との間に接続される。これにより、信号入力端子に到来した信号は電極から導体を介して信号出力端子に送信され、信号線に落雷などによるサージ電圧が混入したときは避雷放電素子から接地電位に放電が行われる。
【００１２】
コンピュータ端末装置やその関連機器を複数使用するときは、それぞれの保安器を複数積み重ね、下になる保安器の接地導体に形成された上側のネジ孔と上になる保安器の接地導体に形成された下側のネジ孔上に連結金具をまたがせて配置し、ネジ孔の位置に対応して形成された通し孔からネジを螺合させて固定する。これにより、下になる保安器の接地導体と上になる保安器の接地導体は電気的に接続され、接地を個別に行うことなく一つに集結して行うことができる。さらに、保安器の数が増加した場合も、保安器の筐体を順次積み重ね、接続金具を用いて同様の接地電極の接続を行うことにより、整理をよくするとともに接地電位の確実な接続を行うことができる。
【００１３】
保安器を積み重ねるときは、下になる保安器の蓋に形成された一対のレールの端部に、上になる保安器の底板に形成されたツメの端部を嵌合させ、その端面が一致する方向に摺動させることにより容易に連結させることができる。積み重ねる数がさらに増加しても同様の操作を行うことにより順次連結することができる。
【００１４】
本発明の第二の特徴は、電源線用保安器の構造についてであって、前記底板、前記蓋、前記接地導体、前記連結金具の形状が前記信号線用保安器と等しい形状であり、その内部に商用電源の保安回路が実装され、前記信号線用保安器を積み重ねて利用されることを特徴とする。前記接地導体とは別に接地配線用端子が形成されることが望ましい。この接地配線用端子を利用して、太い電線により接地配線が行われる。
【００１５】
通信線ネットワークから信号を分岐するための装置としてＨＵＢ装置が用いられ、このＨＵＢ装置には動作させるための商用電源が取込まれる。この商用電源からの高電圧サージの混入を防止するために用いる電源線用保安器も、前記信号線用保安器と同様の構造に構成する。これにより、電源線用保安器の上部に一つもしくはそれ以上の通信線用保安器を積み重ねて使用することができる。また、信号線用保安器の上部に電源線用保安器を積み重ねて利用することもできる。
【００１６】
この電源線用保安器には、接地導体とは別に、この接地導体に電気的に接続された接地線配線用端子を設ける。これにより、積み重ねられた通信線用保安器を含めて確実に接地を行うことができる。
【００１７】
このように本発明によれば、複数の保安器が用いられても、積み重ねた状態でそれぞれの接地導体を順次接続することができ、積み重ねた個々の保安器に接地用ケーブルを接続することなく、一つの接地配線により接地電位を避雷回路に確実に接続することができる。さらに、ケーブルの数が削減されるので装置周辺の整理をよくすることができ安全性を向上させることができる。
【００１８】
【発明の実施の形態】
【００１９】
【実施例】
次に、本発明実施例を図面に基づいて説明する。図１は本発明実施例保安器に係わる通信線ネットワークの全体構成の一例を示す図である。ここには、通信線ネットワーク１のトランシーバにＨＵＢ装置３が接続され、このＨＵＢ装置３から携帯用コンピュータ端末装置４および卓上型コンピュータ端末装置５などに信号線用保安器１０を介して、信号線が分岐された例が示されている。ＨＵＢ装置３には商用電源が電源線用保安器２０を介して供給される。
【００２０】
図２は本発明実施例信号線用保安器の要部の構成を示す分解斜視図、図３は本発明実施例信号線用保安器の外観形状を示す斜視図である。
【００２１】
本発明実施例信号線用保安器１０は、信号入力端子１１と、信号出力端子１２と、この信号入力端子１１と信号出力端子１２との対応する電極をそれぞれ相互に接続する複数の導体と、この複数の導体と接地電位との間にそれぞれ接続された避雷放電素子とが基板１４に実装され、この基板１４が取付けられた底板１５と、基板１４を覆うとともに底板１５に締付けられる蓋１６とが備えられる。
【００２２】
蓋１６の上部には一対の溝状のレール１６ａが形成され、底板１５の下部にはこのレール１６ａに嵌合するツメ１５ａが形成される。このツメ１５ａの一方の端部近傍には一対の係合溝１５ｂが形成され、蓋１６の上部に形成されたレール１６ａの一対の係合溝１５ｂに対応する位置にはこの係合溝１５ｂに嵌合する一対の突起部１６ｂが形成される。
【００２３】
さらに、接地電位に接続された一枚の接地導体６が底板１５の側部と蓋１６の側部とにまたがって設けられ、この接地導体６には上下に２個のネジ孔６ａおよび６ｂが形成されるとともに、その中央部に通し孔６ｃが形成され、保安器が複数積み重ねて利用されるとき、下になる保安器の上のネジ孔６ａに螺合するネジ７ａと、上になる保安器の下のネジ孔６ｂに螺合するネジ７ｂと、この二つのネジ７ａおよび７ｂを連結する連結金具８とが備えられる。
【００２４】
連結金具８に設けられた二つの通し孔８ａおよび８ｂの間隔は、接地導体６に設けられた上下２個のネジ孔６ａおよび６ｂの間隔に等しく設定される。さらに、この連結金具８には通し孔８ａと８ｂとの中央部に別の通し孔８ｃが形成され、その上端部および下端部には半円径の切欠き８ｄが形成される。接地導体６に連結金具８がネジ７ａおよび７ｂにより固定された状態でその外側にプラスチック製またはゴム製のアースカバー９が被せられる。
【００２５】
図４（ａ）は本発明実施例通信線用保安器に用いられるアースカバーの表面側の拡大斜視図、（ｂ）はその裏面側の拡大斜視図である。
【００２６】
アースカバー９の裏面には、連結金具８の通し孔８ｃおよび接地導体６の通し孔６ｃに圧入状態で挿入され上下方向の移動を抑制する凸部９ａと、ネジ７ａおよび７ｂの頭部を内包する二つの凹部９ｂとが形成される。
【００２７】
図５は本発明実施例信号線用保安器のアースカバー取付け前の積み重ね状態を示す側面図、図６は本発明実施例信号線用保安器を積み重ねアースカバーを取付けた状態を示す斜視図である。
【００２８】
ここで、通信線用保安器の積み重ね操作について説明する。まず、図６に示す下になる保安器の蓋１６に形成されたレール１６ａのＡ側の端部に、上になる保安器の底板１５に形成されたツメ１５ａのＢ側の端部を嵌合させ、上になる保安器を白抜き矢印方向に摺動させる。図７（ａ）はその摺動中の状態を示す図である。
【００２９】
この摺動操作により底板１５のＢ側の端面が蓋１６のレール１６ａの上に形成された突起部１６ｂに当接する。この当接状態からさらに矢印方向に蓋１６を摺動させると、図７（ｂ）に示すように、ツメ１５ａの当接部が突起部１６ｂに乗り上げた後に、図７（ｃ）に示すように蓋１６の空間部１６ｃに落ち込む。これにより、下になる保安器の蓋１６と上になる保安器の底板１５とは完全に係合した状態で連結される。
【００３０】
次に、連結金具８により下になる接地導体６と上になる接地導体６との連結を行う。まず、図２に示す連結金具８の通し孔８ａおよび８ｂを上になる接地導体６のネジ孔６ｂおよび下になる接地導体６のネジ孔６ａに対応させ、図５に示すようにネジ７ａおよび７ｂにより固定する。これにより、上になる接地導体６と下になる接地導体６とが連結金具８により接続される。
【００３１】
この接地状態で上になる接地導体６に形成された通し孔６ｃの下側の円弧と連結金具８の上部に形成された半円状の切欠き８ｄとが対応して通し孔状態となり、下になる接地導体６に形成された通し孔６ｃの上側の円弧と連結金具８の下部に形成された半円状の切欠き８ｄとが対応して通し孔状態となる。
【００３２】
この上下の通し孔にそれぞれアースカバー９の凸部９ａを押し込むことにより圧入され、上部の凹部９ｂにネジ７ａの頭部が収容されるとともに、下部の凹部９ｂにネジ７ｂの頭部が収容される。凸部９ａは圧入状態にあるので二つのアースカバー９は図６に示すように連結金具８により接地導体６の連結部を覆った状態で固定される。
【００３３】
重ねられた保安器を分離するときは、アースカバー９を手前に引き出すことにより凸部９ａは通し孔から分離される。次いで、ネジ７ａおよび７ｂを外して連結金具８を接地導体６から分離する。これにより上下の接地導体６の連結は解除される。この状態で上に重ねられた保安器を図６に示す白抜き矢印の方向とは逆の方向に引き出すと、図７（ｃ）に示すツメ１５ａが空間部１６ｃに落ち込んだ状態から図７（ｂ）に示すように突起部１６ｂ上に乗り上げ、さらに引き出すことにより図７（ａ）に示すように突起部１６ｂによるツメ１５ａの係合が解除され、上になる保安器の底板１５と下になる保安器の蓋１６とが分離される。
【００３４】
図８は本発明実施例電源線用保安器の要部の構成を示す分解斜視図、図９は本発明実施例電源線用保安器の外観形状を示す斜視図である。
【００３５】
本発明実施例電源線用保安器２０は、商用電源を取込む差込みプラグ２１がコードを介して接続され商用電源の保安回路および接地配線用端子２２が実装された基板２４と、この基板２４が取付けられた底板２５と、基板２４を覆うとともに底板２５に締付けられる蓋２６とが備えられる。蓋２６には接地配線用端子に対応する部分に接地線の接続を行うための開口部２３が形成され、この開口部２３には着脱自在の接地配線部蓋２７が設けられる。
【００３６】
蓋２６の上部には、信号線用保安器１０と同様に、一対の溝上のレール１６ａが形成され、底板１５の下部にはこのレール１６ａに嵌合するツメ１５ａが形成される。このツメ１５ａの一方の端部近傍には一対の係合溝１５ｂが形成され、蓋２６の上部に形成されたレール１６ａの一対の係合溝１５ｂに対応する位置にはこの係合溝１５ｂに嵌合する一対の突起部１６ｂが形成される。さらに、接地導体部が形成される。この接地導体部は前述した信号線用保安器１０と同様に構成される。
【００３７】
接地配線用端子２２は二つの端子により構成され、一つの接地線が分岐して取付けられる。これは接地を確実に行うための構成であって、仮に一方の端子のネジにゆるみが生じるようなことがあっても他方の端子から確実に接地を行うことができる。
【００３８】
図１０は本発明実施例電源線用保安器の上に信号線用保安器を積み重ねた状態を示す斜視図である。
【００３９】
このように、電源線用保安器２０の上に信号線用保安器１０を積み重ねることができる。この例では一つの信号線用保安器１０が積み重ねられているが、さらにその上部に複数の信号線用保安器１０を積み重ねることができる。また、信号線用保安器１０の上に電源線用保安器２０を積み重ねることも可能である。その積み重ねおよび接地導体６の連結金具８による連結操作は前述した信号線用保安器と同様に行うことができる。
【００４０】
【発明の効果】
以上説明したように本発明によれば、複数の保安器を簡単な操作で積み重ね、それぞれの接地導体を順次接続することができ、積み重ねた個々の保安器に接地用ケーブルを接続することなく、一つの接地配線により接地電位を避雷回路に確実に接続することができる。さらに、ケーブルの数が削減されるので装置周辺の整理をよくすることができ、安全性を向上させることができる。
【図面の簡単な説明】
【図１】本発明実施例保安器に係わる通信線ネットワークの全体構成の一例を示す図。
【図２】本発明実施例信号線用保安器の要部の構成を示す分解斜視図。
【図３】本発明実施例信号線用保安器の外観形状を示す斜視図。
【図４】（ａ）は本発明実施例信号線用保安器に用いられるアースカバーの表面側の拡大斜視図、（ｂ）はその裏面側の拡大斜視図。
【図５】本発明実施例信号線用保安器のアースカバー取付け前の積み重ね状態を示す側面図。
【図６】本発明実施例信号線用保安器を積み重ねアースカバーを取付けた状態を示す斜視図。
【図７】（ａ）は本発明実施例信号線用保安器を積み重ねるときのレールとツメの係合状態を示す拡大斜視図、（ｂ）はツメが突起部に乗り上げた状態を示す拡大斜視図、（ｃ）はツメが空間部に落ち込んだ状態を示す拡大斜視図。
【図８】本発明実施例電源線用保安器の要部の構成を示す分解斜視図。
【図９】本発明実施例電源線用保安器の外観形状を示す斜視図。
【図１０】本発明実施例電源線用保安器の上に信号線用保安器を積み重ねた状態を示す斜視図。
【図１１】従来例保安器に係わる通信線ネットワークの全体構成の一例を示す図。
【図１２】従来例保安器の電気回路の一例を示す図。
【符号の説明】
１  通信線ネットワーク
３  ＨＵＢ装置
４  携帯用コンピュータ端末装置
５  卓上型コンピュータ端末装置
６  接地導体
６ａ、６ｂ  ネジ孔
６ｃ、８ａ、８ｂ、８ｃ  通し孔
７ａ、７ｂ  ネジ
８  連結金具
８ｄ  切欠き
９  アースカバー
９ａ  凸部
９ｂ  凹部
１０  信号線用保安器
１１  信号入力端子
１２  信号出力端子
１４、２４  基板
１５、２５  底板
１５ａ  ツメ
１５ｂ  係合溝
１６、２６  蓋
１６ａ  レール
１６ｂ  突起部
１６ｃ  空間部
２０  電源線用保安器
２１  差込みプラグ
２２  接地配線用端子
２３  開口部
２７  接地配線部蓋
【図１】
0003558895.tif 000002
【図２】
0003558895.tif 000003
【図３】
0003558895.tif 000004
【図４】
0003558895.tif 000005
【図５】
0003558895.tif 000006
【図６】
0003558895.tif 000007
【図７】
0003558895.tif 000008
【図８】
0003558895.tif 000009
【図９】
0003558895.tif 000010
【図１０】
0003558895.tif 000011
【図１１】
0003558895.tif 000012
【図１２】
0003558895.tif 000013